(57)【要約】【課題】  従来立体を形成したカードはポップアップカードのように、折り目や、切れ目を入れたり、別部品を接着したりするので手間がかかりコストもかかって高価になりがちであった。【解決手段】  薄板片に、表示部１と立体を形成する絵柄部２を設け、前記表示部１と前記絵柄部２の中間にあって薄板片より小さく立体を形成するために切りかかれた切り込み線３からなり、前記絵柄部２の上端部を手前に持ち上げながら裏返すようにして前記切り込み線３にできた穴に上から押し込むと前記表示部１の切断面と絵柄部２の切断面どうしの摩擦で元に戻らなくなることで立体を形成し、さらに切り込みの入れ方、切り込みの数等によって様々に変化し、奥行きがあって立体感のある今までにない安価な立体カード。【選択図】  図1
2006326921.tif 000002
【特許請求の範囲】
【請求項１】
薄板片に、表示部と立体を形成する絵柄部を設け、前記表示部と前記絵柄部の中間にあって薄板片より小さく上部両端に向かって切りかかれた切り込み線からなり、前記絵柄部の上端部を手前に持ち上げながら裏返すようにして前記切り込み線にできた穴に上から押し込むと前記表示部の切断面と前記絵柄部の切断面どうしの摩擦で元に戻らなくなり、立体を形成することを特徴とする立体カード。
【請求項２】
前記絵柄部の上端に切り込みを設け、この前記切り込みに前記切り込み線が喰い込むことで、立体形状を安定して保つことと立体形状の立ち上がり角度を調節する機能を併せ持つことを特徴とする請求項１記載の立体カード。
【請求項３】
前記絵柄部の上端に任意の形状を設け、この両端が前記切り込み線に当たることで、立体形状を安定して保つとともにより大きな立体を形成したことを特徴とする請求項１〜２記載の立体カード。
【請求項４】
前記絵柄部の両端に任意の切り込みを設けることで左右にも立体ができ、より立体的に形成したことを特徴とする請求項１〜３記載の立体カード。  
【請求項５】
前記絵柄部の上端に別の絵柄部を設けることで、中心部に２面の立体物ができ、より複雑な立体を形成したことを特徴とする請求項１〜４記載の立体カード。
【発明の詳細な説明】
【技術分野】
【０００１】
本発明は立体カードに関する。
【背景技術】
【０００２】
従来立体を形成したカードはポップアップ（飛び出す）カードがあった。
【０００３】
ポップアップ（飛び出す）カードはアメリカのホルマーク社が開発し、日本の印刷業者の図書印刷と提携して作られるようになり現在に到っているが、製造法法は二つ折りの紙片に折り目や切れ目をいれたり、別部品を接着したりして組み立てられていて、カードを開くと立体形状ができるが手間がかかり、材料代もかかってしかも材料の無駄も出るので高価になりがちであった。
【０００４】
また立体メモなるものがあるが（例えば特許文献１参照）型で抜かれたメモ用紙を折り曲げて立体にするもので手間がかかり本考案のようにワンタッチで立体にならない。
【０００５】
【特許文献１】実開平-９９７１号公報
【発明の開示】
【発明が解決しようとする課題】
【０００６】
本発明は以上のような従来の欠点に鑑み、様々な表示をする表示部と立体になる絵柄部の分かれ目に切り込み線を入れただけの構造でワンタッチで立体を形成し、折り目を入れたり、別部品を接着したりしないので安価にでき、さらに切り込みの入れ方、切り込みの数等によって様々に変化するデザインや立体感のある今までにない安価な立体カードを提供することを目的としている。
【０００７】
本発明の前記ならびにそのほかの目的と新規な特徴は次の説明を添付図面と照らし合わせて読むと、より完全に明らかになるであろう。ただし図面はもっぱら解説のためのものであって、本発明の記述的範囲を限定するものではない。
【課題を解決するための手段】
【０００８】
上記目的を達成するために、本発明は、薄板片に、表示部１と立体を形成する絵柄部２を設け、前記絵柄部２と前記表示部１の中間にあって薄板片より小さく上部両端に向かって切りかかれた切り込み線３からなり、前記絵柄部２の上端部を手前に持ち上げながら裏返すようにして前記切り込み線３にできた穴に上から押し込むと前記表示部１の切断面と絵柄部２の切断面どうしの摩擦で元に戻らなくなり、立体を形成することを特徴とする立体カードに係わるものである。
【０００９】
前記絵柄部２の上端に切り込み４ａ、４ｂを設け、この前記切り込みに切り込み線３が喰い込むことで、立体形状を安定して保つことと立体形状の立ち上がり角度を調節する機能を併せ持つことを特徴とする請求項１記載の立体カードに係わるものである。
【００１０】
前記絵柄部２の上端に任意の形状を設け、この両端が前記切り込み線３に当たることで、立体形状を安定して保つとともにより大きな立体を形成したことを特徴とする請求項１〜２記載の立体カードに係わるものである。
【００１１】
前記絵柄部２の両端に任意の切り込み５ａ、５ｂを設けることで左右にも立体ができ、より立体的に形成したことを特徴とする請求項１〜３記載の立体カードに係わるものである。
【００１２】
前記絵柄部２の上端に別の絵柄５５を設けることで、中心部に２面の立体物ができ、より複雑な立体を形成したことを特徴とする請求項１〜４記載の立体カードに係わるものである。
【発明の効果】
【００１３】
以上の説明から明らかなように、本発明にあっては次に列挙する効果が得られる。
（１）請求項１の構成要件とで構成されているので、安価で視認性の高い立体カードが作れ、さらに切り込みの入れ方、切り込みの数等を変えることによって様々に変化する発展性のある構造体の立体カードとなる。
【００１４】
（２）また、請求項２の構成要件とで構成されているが、立体形状は反発力で保っているので長期間使用する場合は図３に示す切り込み４ａ、４ｂを設けることで反発力が弱ってもこの切り込み４ａ、４ｂに切り込み線３が喰い込み、安定した形状が得られ、また、穴に押し込まれた絵柄部２の立ち上がり角度によって立体感が変化し、４ａ、４ｂの幅を少なくすれば角度が小さく平面的に、幅を大きくすれば角度も大きく立体的になるので目的に応じて調節できる機能がある。このように形成した立体カードにしても前記本発明を実施するための最良の第一の形態と同様な作用効果が得られる。
【００１５】
（３）また、請求項３の構成要件とで構成されているので  図４に示す切り込みの形状を変化させることでさらに大きな立体を形成できる。このように形成した立体カードにしても前記本発明を実施するためと同様な作用効果が得られる。
【００１６】
（４）また、請求項４の構成要件とで構成されているので図５ー１、図５ー２に示す絵柄部２の両端に任意の切り込み５ａ、５ｂを設けることで左右にも立体が形成されより複雑な立体になる。このように形成した立体カードにしても前記本発明を実施するためと同様な作用効果が得られる。
【００１７】
（５）また、請求項５の構成要件とで構成されているので図６ー１、図６ー２に示す絵柄部２の上に別の絵柄５５を設けることで、絵柄部２を上から押し込んだ際穴より大きい絵柄５５は折曲げられ、中心部に２面の立体ができることでより複雑になる。このように形成した立体カードにしても前記本発明を実施するためと同様な作用効果が得られる。
【発明を実施するための最良の形態】
【００１８】
図面に示す好適と考える本発明をどのように実施するかを図面に基づいてその作用効果を示して簡単に説明する。 
【００１９】
図１に示すように本発明品は薄板片に立体を形成する絵柄部と表示部があり、その間に自由な切り込み線からなる極めて簡単な構造である。
【００２０】
図２に示すように絵柄部２の上端部を手前に持ち上げながら裏返すようにして表示部１の上部にできた穴に上から押し込むと立体を形成する。
【００２１】
立体を形成する要因は絵柄部２が押し込まれたことで反発し、戻ろうとする力と表示部１の切断面どうしとの摩擦で元に戻らなくなるためである。
【００２２】
また、立体を形成したところにできた穴はフックや様々な突起物にさすことができ、視認性が高くよくめだつ。
【００２３】
また、この穴に押し込まれた絵柄部２の下部は谷折りに折られているので、両端にある絵柄は手前に飛び出している。
【００２４】
しかもこの谷折りに折られている中心部分は横から見ると図２-５のように傾斜しているため、少々傾斜している場所でも引っ掛かって滑り落ちずに留まることができる。
【００２５】
また、立体感の違いは絵柄部２の谷折りの角度によって変わり、角度が浅ければ平面的に、大きければ立体的になる。
【００２６】
よって絵柄部２の立ち上がり角度を調節したい時は図３に示す４ａ、４ｂの幅を少なくすれば角度が小さく、幅を大きくすれば角度も大きくできる。
【００２７】
また、立体にするのが折り返すだけなので面倒でなく極めて簡単である。
【実施例】
【００２８】
以下、図面に示す発明を実施するための最良の形態により、本発明を詳細に説明する。
【００２９】
図１に示す本発明を実施するための最良の第一の形態において、薄板片に表示部１と絵柄部２を設け絵柄部２を立体にするための切り込み線３とで構成している。
【００３０】
図２-１〜２に示すように絵柄部２の上端部を持ち上げると、その反動で切り込み線３で切られた絵柄部2の下部が下方にさがり、ここに穴があく。
【００３１】
図２-３に示すようにそのまま絵柄部２の上部を手前に持ち上げながら裏返すと裏面の絵柄が出てくる。
【００３２】
図２-４に示すように裏返しになった絵柄部２の下部をそのまま上から穴に押し込むと、絵柄部２が押し込まれたことで反発する力が働き、戻ろうとする力の絵柄部２の切断面と表示部１の切断面どうしとの摩擦で元に戻らなくなるため、立体を形成する。
【００３３】
また、図２-５に示すように、この穴に押し込まれた絵柄部２の下部は谷折りに折られているので、両端にある絵柄は手前に飛び出し、立体感がでてしかもこの谷折りに折られている中心部分は本体より横から見ると図２-５のように5０度前後傾斜しているため突起物等に引っ掛けたり、少々傾斜している場所でも引っ掛かって滑り落ちずに留まることができる。
【００３４】
図３に示すように、立体形状は反発力で保っているので長期間使用する場合は切り込み４ａ、４ｂを設けることで反発力が弱ってもこの切り込み４ａ、４ｂに切り込み線３が喰い込み、安定した形状が得られ、また、穴に押し込まれた絵柄部２を平面的にしたい時は４ａ、４ｂの幅を少なくすればよく、幅を大きくすればより立体的になるので目的に応じて調節できる機能がある。
【００３５】
図４に示すように、絵柄部２の上端に任意の形状５を設け、この両端部が切り込み線に当たることで、立体形状を安定して保つとともに切り込みの形状を変化させることでさらに大きな立体を形成できる。
【００３６】
図５-１〜２に示すように、絵柄部２の両端に任意の切り込み５ａ、５ｂを設けることで左右にも立体が形成されより複雑な立体になる。
【００３７】
図６-１〜２に示すように、絵柄部２の上に別の絵柄５５を設けることで、絵柄部２を上から押し込んだ際穴より大きい絵柄５５は折曲げられ、中心部に２面の立体ができることでより複雑になる。
【００３８】
図７-１に示すように、立体になる絵柄部２２を２ケ所設けた例で、表示部１１との境に切り込み７a、７ｂが必要になる。
【００３９】
図７-２に示すように、立体になる絵柄部２２を２ケ所左右４５度傾けて配置したものでこの場合は切り込み７a、７ｂは必要なくなる。
【００４０】
図８-１に示すように、立体になる絵柄部２２を３ケ所設けた例で、表示部１１との境に切り込み７a、７ｂを設けたものである。
【００４１】
図８-２に示すように、立体になる絵柄部２２を３ケ所設け左右３０度傾けて配置した例でこの場合は切り込み７a、７ｂは必要なくなる。
【００４２】
図９-１に示すように、八面体に立体になる絵柄部２２を４ケ所設けた例である。
【００４３】
図９-２に示すように、立体になる絵柄部２２を４ケ所４５度傾けて配置した例である。
【００４４】
図１０に示すように、五面体に立体になる絵柄部２２を５ケ所それぞれの角に向けて配置した例である。
【００４５】
図１１に示すように、六面体に立体になる絵柄部２２を６ケ所それぞれの角に向けて配置した例である。
【００４６】
また、メモ用紙のように紙片を数枚重ね製本した後で抜き型加工をすれば、安価な立体メモ帳ができる。
【００４７】
また立体になった絵柄部２の裏に再剥離・再接着材を塗布して製本し抜き型加工することで、どこでも貼れる立体メモや立体カレンダー、立体ＰＯＰ（宣伝物）や立体価格表示板、立体カードとなる。
【００４８】
また本発明は一枚の紙や合成紙やプラスチック薄板片で構成しているので、積み重ねて梱包してもかさばらないので流通経費が安くすむ利点がある。
【００４９】
また、絵本やカードとして作った際、絵柄は裏にあるので立体にすると思いがけない絵柄が出てくるので、意外性があって面白い。
【００５０】
また、図７〜１１のように絵柄部２を数カ所設けることができるが、それでも立体にするのが折り返すだけなので面倒でなく簡単に組たてられる。
【００５１】
よって、本発明品によればデザインの変化が大量でいろいろな分野でも利用でき、しかも安価で組み立て易い立体カードができる。
【００５２】
尚、本発明は、本実施例に限られるものではなく、各構成用件の具体的構成は適宜設計し得るものである。
【００５３】
以下、上記構成の動作を説明する。絵柄部２の上端部を持ち上げると、その反動で切り込み線３で切られた絵柄部2の下部が下方にさがり、ここに穴があく。そのまま絵柄部２の上部を手前に持ち上げながら裏返すと裏面の絵柄が出てくる。裏返しになった絵柄部２の下部をそのまま上から穴に押し込むと、絵柄部２が押し込まれたことで反発する力が働き、戻ろうとする力の絵柄部２の切断面と表示部１の切断面どうしとの摩擦で元に戻らなくなるため、立体を形成する。
【産業上の利用可能性】
【００５４】
本発明は印刷業が扱う印刷物、広告宣伝物、メモ帳やカレンダー、ディスプレイ、ＰＯＰ、価格カード、グリーティングカード、パーティグッズ、贈答品につけるカードや絵本等にも利用される。
【図面の簡単な説明】
【００５５】
【図１】本発明を実施するための最良の第一の形態の正面図。
【図２】本発明を実施するための最良の第一の形態の動作を示す斜視図。
【図３】本発明を実施するための最良の第一の形態の正面図。
【図４】本発明を実施するための最良の第一の形態の正面図。
【図５】本発明を実施するための最良の第一の形態の正面図と斜視図。
【図６】本発明を実施するための最良の第一の形態の正面図と斜視図。
【図７】本発明を実施するための最良の第一の形態の絵柄部を二面配した正面図。
【図８】本発明を実施するための最良の第一の形態の絵柄部を三面配した正面図。
【図９】本発明を実施するための最良の第一の形態の絵柄部を四面配した正面図。
【図１０】本発明を実施するための最良の第一の形態の絵柄部を五面配した正面図。
【図１１】本発明を実施するための最良の第一の形態の絵柄部を六面配した正面図。
【符号の説明】
【００５６】
１：表示部      
２：絵柄部  
３：切り込み線
４ａ、４ｂ：切り込み
５、５５：任意の形状の絵柄部
５ａ、５ｂ：切り込み
６ａ、６ｂ：切り込み
７ａ、７ｂ：切り込み
【図１】
2006326921.tif 000003
【図２】
2006326921.tif 000004
【図３】
2006326921.tif 000005
【図４】
2006326921.tif 000006
【図５】
2006326921.tif 000007
【図６】
2006326921.tif 000008
【図７】
2006326921.tif 000009
【図８】
2006326921.tif 000010
【図９】
2006326921.tif 000011
【図１０】
2006326921.tif 000012
【図１１】
2006326921.tif 000013